(57)【要約】【課題】加工が容易で、かつ交換するときに余計な部品交換が不要なパッドアームを提供する。【解決手段】ブリッジ１５は、上下に分割するように設けられた上ブリッジ部３１及び下ブリッジ部３２が連結されて形成される。上ブリッジ部３１の下面３１Ｄ及び下ブリッジ部３２の上面３２Ｕに、背面３１Ｂ、３２Ｂに両端部が開口するコの字状の上溝部３５、下溝部３６を設ける。溝部３５、３６は、ブリッジ部３１、３２が連結するとき、一体となって挿入穴３８を形成する。挿入穴３８の内部にパッドアーム２５の接続部２７を配置し、第１及び第２のアーム部２１、２２をブリッジ１５の背面側から突出させる。【選択図】図２
2009014887.tif 000002
【特許請求の範囲】
【請求項１】
上下に分割するように設けられた上ブリッジ部及び下ブリッジ部が連結されて形成されるブリッジと、
前記上ブリッジ部の下面及び前記下ブリッジ部の上面の少なくともいずれか一方に形成され、前記上ブリッジ部又は下ブリッジ部の背面に端部が開口する溝部と、
一部が前記溝部内部に入れられ、一部が前記端部から背面側に突出するように配置されると共に、前記上ブリッジ部及び下ブリッジ部によって挟持されることにより、前記ブリッジに取り付けられるパッドアームと
を備えることを特徴とするパッドアーム取付機構。
【請求項２】
前記下ブリッジ部及び上ブリッジ部のうちいずれか一方は、第１のベース部から成るとともに、他方は第２のベース部と、第１及び第２のベース部の間に挟まれて配置されるブリッジ片とを有し、
前記ブリッジ片には、背面側に開口する切り欠きが設けられると共に、前記第２のベース部と連結することによって、前記切り欠きが前記溝部として形成されることを特徴とする請求項１に記載のパッドアーム取付機構。
【請求項３】
前記溝部の他端部には溝部底部からさらに凹む穴部が形成されると共に、
前記パッドアームは、一端部にノーズパッドが設けられると共に、他端部が折り曲げられた形状を有して穴部に挿入されることを特徴とする請求項１に記載のパッドアーム取付機構。
【請求項４】
前記溝部は、少なくとも一部が曲げられた形状を呈しており、前記パッドアームの前記溝部内部に入れられた部分は、前記曲げられた形状に応じた形状を有することを特徴とする請求項１に記載のパッドアーム取付機構。
【請求項５】
前記パッドアームは、先端部にノーズパッドが取り付けられた第１及び第２のアーム部と、前記第１及び第２のアーム部の基端部を一体的に接続する接続部とを備え、
前記溝部は前記上ブリッジ部又は下ブリッジ部の背面に両端部が開口し、
前記接続部は、前記溝部に入れられると共に、前記第１及び第２のアーム部それぞれが前記溝部の各端部から背面側に突出することを特徴とする請求項１に記載のパッドアーム取付機構。
【請求項６】
前記溝部は、前記下面に形成された上溝部と、前記上面に形成され、かつ前記上溝部に対応した位置に配置される下溝部から構成され、
前記上ブリッジ部及び下ブリッジ部が連結すると、前記下溝部及び上溝部は一体となって挿入穴を形成し、
前記パッドアームは、その一部が前記挿入穴の内部に配置されていることを特徴とする請求項１に記載のパッドアーム取付機構。
【発明の詳細な説明】
【技術分野】
【０００１】
本発明は、例えばフルリム眼鏡等におけるパッドアームの取付機構に関する。
【背景技術】
【０００２】
従来、レンズの外周が全周にわたってリムによって保持されるフルリム眼鏡が知られている。フルリム眼鏡のパッドアームは、両レンズのリム等に、ロー付けや溶接等によって取り付けられるのが一般的である。しかし、ロー付けや溶接等は、熱加工を伴うので、リムとパッドアームとの接続部分は、金属の弾力性が失われ、アームの弾力性が低下するおそれがある。また、上記接続部分は、熱加工によって他の部位に比べ耐久性が劣り、破損されやすくなる。
【０００３】
フルリム眼鏡は、レンズをリム内部に嵌め込みやすくするためにリムの一部が上下に分断されている場合がある。特許文献１においては、フルリム眼鏡のリムの分断と共にブリッジも上下に分割し、その分割片の間にパッドアームが設けられた挟み板を挟み込み、これによりパッドアームをブリッジに取り付ける構成が開示されている。このフルリム眼鏡では、パッドアームが、ロー付けや溶接等によらず、挟み板と一体的に形成されるため、パッドアームの弾力性や耐久性等の低下を防止することができる。
【特許文献１】特開２００２−２０７１９７号公報
【発明の開示】
【発明が解決しようとする課題】
【０００４】
しかし、特許文献１に開示される挟み板は、パッドアームと一体に形成されるため、その加工が容易ではない。例えば、挟み板は、比較的肉厚の金属板を打ち抜き加工して、直線的なアーム部を有する挟み板を形成した後、アーム部をパッドアームの形状に合わせて折り曲げて製造することが考えられる。しかし、この方法によれば、金属の打ち抜き加工が必要とされるため、パッドアームを製造するための工数が増加するという問題がある。
【０００５】
また、特許文献１のパッドアームは、耐久性が向上しているものの、他の部品に比べると早期に破損するため、長期間の使用に伴い交換の必要性が生じる。しかし、パッドアームが挟み板と一体に形成されている場合、パッドアームを取り替えようとすると、挟み板も取り替えることとなり、余計な部品交換を余儀なくされる。
【０００６】
そこで、本発明は上記問題点に鑑みて成されたものであり、弾力性や耐久性が良好にもかかわらず、加工が容易で、かつ交換するときに余計な部品交換が不要なパッドアームを提供することを目的とする。
【課題を解決するための手段】
【０００７】
本発明に係るパッドアーム取付機構は、上下に分割するように設けられた上ブリッジ部及び下ブリッジ部が連結されて形成されるブリッジと、上ブリッジ部の下面及び下ブリッジ部の上面の少なくともいずれか一方に形成され、上ブリッジ部又は下ブリッジ部の背面に端部が開口する溝部と、一部が溝部内部に入れられ、一部が端部から背面側に突出するように配置されると共に、上ブリッジ部及び下ブリッジ部によって挟持されることにより、ブリッジに取り付けられるパッドアームとを備えることを特徴とする。
【０００８】
溝部は、少なくとも一部が曲げられた形状を呈していることが好ましく、パッドアームの溝部内部に入れられた部分は、その曲げられた形状に応じた形状を有することが好ましい。例えば、パッドアームが、先端部にノーズパッドが取り付けられた第１及び第２のアーム部と、第１及び第２のアーム部の基端部を一体的に接続する接続部とを備える場合、溝部は上ブリッジ部又は下ブリッジ部の背面に両端部が開口することが好ましい。この場合、上記接続部は、溝部に入れられると共に、第１及び第２のアーム部それぞれは溝部の各端部から背面側に突出する。
【０００９】
溝部は、下面に形成された上溝部と、上面に形成され、かつ上溝部に対応した位置に配置される下溝部から構成されることが好ましい。この場合、上ブリッジ部及び下ブリッジ部が連結すると、下溝部及び上溝部は一体となって挿入穴を形成し、パッドアームは、その一部が挿入穴の内部に配置されている。
【００１０】
下ブリッジ部及び上ブリッジ部のうちいずれか一方は、第１のベース部から成るとともに、他方は第２のベース部と、第１及び第２のベース部の間に挟まれて配置されるブリッジ片を有することが好ましい。この場合、ブリッジ片には、背面側に開口する切り欠きが設けられると共に、第２のベース部と連結することによって、切り欠きが溝部として形成される。
【００１１】
溝部の他端部には溝部底部からさらに凹む穴部が形成されると共に、パッドアームは、一端部にノーズパッドが設けられると共に、他端部が折り曲げられた形状を有し、穴部に挿入されることが好ましい。
【発明の効果】
【００１２】
本発明においては、弾力性や耐久性が良好にもかかわらず、加工が容易で、かつ交換するときに余計な部品交換が不要なパッドアームを提供することができる。
【発明を実施するための最良の形態】
【００１３】
以下、図面を参照しつつ本発明について説明する。
図１は、本発明の第１の実施形態に係るパッドアーム取付機構が適用された眼鏡を示す。図２は、第１の実施形態に係るブリッジを後方から見たときの分解斜視図である。以下の説明においては、左右は眼鏡を後方（背面側）から見たときの左右として説明する。
【００１４】
眼鏡１０は、レンズ１１、１２と、レンズ１１、１２を保持するリム１３、１４と、リム１３，１４を連結するブリッジ１５と、ヨロイ部１６、１８を介してリム１３、１４それぞれに連結される不図示のテンプルとを有する。ブリッジ１５には、ノーズパッド２３、２４が先端部に設けられたパッドアーム２５が取り付けられている。
【００１５】
リム１３、１４はフルリムであって、レンズ１１、１２それぞれの外周全周を保持するために、レンズ１１、１２の外周全周に沿った形状を呈すると共に、ブリッジ１５との連結部において上下に分断されている。
【００１６】
ブリッジ１５は上下に分割されており、上ブリッジ部３１及び下ブリッジ部３２によって構成される。上ブリッジ部３１は、分断することによって形成されたリム１３、１４の上側の端部１３Ｕ、１４Ｕ同士を連結している。下ブリッジ部３２は、同様にリム１３、１４の下側の端部１３Ｄ、１４Ｄ同士を連結する。
【００１７】
パッドアーム２５は、断面円形の線状の金属材が折り曲げられて形成される。パッドアーム２５は、第１及び第２のアーム部２１、２２と、第１及び第２のアーム部２１、２２の基端部２１Ｃ、２２Ｃを接続する接続部２７とによって一体的に形成される。
【００１８】
第１のアーム部２１は、その基端部２１Ｃから後方に向けて延びた後、下方に向けて屈曲して形成され、その先端部２１Ｅには、ノーズパッド２３が取り付けられる。一方、第１のアーム部２１の基端部２１Ｃは、右方向に折り曲げられて、接続部２７の左端部に接続される。第２のアーム部２２は、基端部２２Ｃから後方に向けて延びた後、下方に向けて屈曲して形成され、その先端部２２Ｅにはノーズパッド２４が取り付けられる。一方、第２のアーム部２２の基端部２２Ｃは、左方向に折り曲げられて、接続部２７の右端部に接続する。両端部が基端部２１Ｃ、２２Ｃに接続する接続部２７は、前方側に突き出たコの字形状を呈している。
【００１９】
上ブリッジ部３１の下面３１Ｄ及び下ブリッジ部３２の上面３２Ｕそれぞれの左右方向における略中央部には、上溝部３５及び下溝部３６が形成される。下溝部３６は、パッドアーム２５の接続部２７に一致した形状を呈しており、前方側に突き出たコの字形状に形成され、その両端部は、下ブリッジ部３２の背面３２Ｂにおいて開口されている。
【００２０】
上溝部３５は下溝部３６に対応した位置に形成されて、接続部２７及び下溝部３６と一致した形状を呈する。したがって、上溝部３５は、前方側に突き出たコの字形状に形成され、そのコの字の両端部は、上ブリッジ部３１の背面３１Ｂにおいて開口されている。上ブリッジ部３１と下ブリッジ部３２とが連結すると、下溝部３６及び上溝部３５が一体と成って、両端部がブリッジ１５の背面において開口されたコの字状の挿入穴３８が形成される。
【００２１】
上ブリッジ部３１には、上溝部３５を左右から挟みこむようにして形成された２つのネジ孔４０Ａ、４１Ａが穿設される。下ブリッジ部３２には、それらネジ孔４０Ａ、４１Ａに対応した位置に形成されたネジ孔４０Ｂ、４１Ｂが穿設される。上ブリッジ部３１及び下ブリッジ部３２は、下面３１Ｄが上面３２Ｕに密接した状態でネジ孔４０Ａ、４０Ｂ及びネジ孔４１Ａ、４１Ｂに螺合したネジ４３、４４によって連結され、ブリッジ１５を形成する。
【００２２】
パッドアーム２５は、ブリッジ１５に取り付けられるとき、接続部２７が下溝部３６の内部に嵌め入れられた後、上ブリッジ３１と下ブリッジ３２がネジ４３、４４によって連結されることにより挿入穴３８の内部に配置され、下ブリッジ部３２及び上ブリッジ部３１によって挟持されることとなる。そして、これらブリッジ部３１、３２に挟持されたパッドアーム２５は、ブリッジ１５の背面側から第１及び第２のアーム部２１、２２が突出している。
【００２３】
ここで、接続部２７の径は、挿入穴３８の径に略等しく、接続部２７の外周は、挿入穴３８の内周の一部に接触していると共に、接続部２７は金属で形成され弾性を有している。したがって、挿入穴３８の内部に配置された接続部２７は、挿入穴３８（すなわち、上溝部３５及び下溝部３６）の内周をばね力によって押圧している。接続部２７は、そのばね力の反作用によって上溝部３５及び下溝部３６の内周に押圧されており、これによりパッドアーム２５は、下ブリッジ部３２及び上ブリッジ部３１によって強力に挟持されている。
【００２４】
以上のように、本実施形態に係るパッドアームは、ロー付け等されることなく、２つのブリッジ部に挟持されてブリッジに取り付けられるので、その弾力性や耐久性が低下するのを防止できる。また、パッドアームは、線状の金属材を折り曲げ加工するのみで形成することができるためその製造が容易であると共に、破損したときの交換も、パッドアームのみを交換すれば良いので、余計な部品を取り替える必要がない。
【００２５】
さらに本実施形態では、溝部内部に配置された接続部２７がコの字形を呈して、コの字形の挿入穴３８に配置される。したがって、パッドアームは、強い引張力で後方に向けて引っ張られても、上溝部、下溝部の側壁がパッドアームに当接するので、挿入穴から引き抜かれることはない。
【００２６】
なお、本実施形態では、パッドアームは断面円形である例を示したが、断面角形であっても良い。また、上溝部３５は、コの字状に限定されず、背面３１Ｂに設けられた一方の開口から少なくとも一部が曲げられて、背面３１Ｂに設けられた他方の開口まで延びるものであれば良く、例えば、半円弧形を呈していても良い。下溝部３６についても同様である。この場合、勿論、接続部２７の形状は、これら溝部３５、３６の形状に応じた形状を有している。
【００２７】
図３は、本発明の第２の実施形態に係るブリッジを後方から見たときの分解斜視図である。第１の実施形態においては、左右のパッドアームは、一体に形成されていたが、本実施形態では、第１及び第２のパッドアーム２５Ａ、２５Ｂとして別体に形成される。以下、第２の実施形態について第１の実施形態との相違点を中心に説明する。
【００２８】
本実施形態では、第１及び第２のパッドアーム２５Ａ、２５Ｂは、基端部２５Ｃ、２５Ｄから後方に向けて直線的に延びた後、下方に向けて屈曲して形成され、それら先端部２５Ｅ、２５Ｆにはノーズパッド２３、２４が取り付けられている。一方、基端部２５Ｃ、２５Ｄは下向きに約９０°折り曲げられて形成されている。
【００２９】
下ブリッジ部３２の上面３２Ｕには、左右方向における略中央部を挟み込むように第１及び第２の下溝部３６Ａ、３６Ｂが形成される。第１及び第２の下溝部３６Ａ、３６Ｂは、第１及び第２のパッドアーム２５Ａ、２５Ｂの基端部側の形状に対応した形状を呈しており、前後方向に延びる線状の溝として形成される。そして、その第１及び第２の下溝部３６Ａ、３６Ｂの後端部は背面３２Ｂにおいて開口されている。また、第１及び第２の下溝部３６Ａ、３６Ｂの前端部には、溝部底部からさらに凹む第１及び第２の穴部３７Ａ、３７Ｂが形成されている。
【００３０】
上ブリッジ部３１の下面３１Ｄには、第１及び第２の下溝部３６Ａ、３６Ｂに一致した形状を呈し、第１及び第２の下溝部３６Ａ、３６Ｂと一致した位置に配置される第１及び第２の上溝部３５Ａ、３５Ｂが形成される。したがって、上ブリッジ部３１と下ブリッジ部３２が連結すると、第１の下溝部３６Ａ及び第１の上溝部３５Ａが一体となって、第１の挿入穴３８Ａを形成する。同様に、第２の下溝部３６Ｂ及び第２の上溝部３５Ｂが一体となって第２の挿入穴３８Ｂを形成する。
【００３１】
第１及び第２のパッドアーム２５Ａ、２５Ｂは、ブリッジ１５に取り付けられるとき、アームの基端部側の部分が、第１及び第２の下溝部３６Ａ、３６Ｂの内部に嵌め入れられると共に、基端部２５Ｃ、２５Ｄの折り曲げられた部分が穴部３７Ａ、３７Ｂに挿入される。そしてその後、上ブリッジ３１と下ブリッジ３２とが連結させられることにより、パッドアーム２５Ａ、２５Ｂの基端部側の部分が挿入穴３８Ａ、３８Ｂの内部に配置されることとなる。これにより、第１及び第２のパッドアーム２５Ａ、２５Ｂは、その基端部側の部分が、下ブリッジ部３２及び上ブリッジ部３１によって挟持されてブリッジ１５に取り付けられることとなる。
【００３２】
したがって、本実施形態でも、高い弾力性や耐久性を有していると共に、加工性が容易で、かつ交換時に余計な部品交換が不要なパッドアームを提供することができる。特に本実施形態では、パッドアームは左右別体に形成されるので、一方が破損されたときは一方のパッドアームのみを交換すれば良い。
【００３３】
さらに、溝部内部に配置されたパッドアームの基端部２５Ｃ、２５Ｄは、折り曲げられた形状を呈して、穴部３７Ａ、３７Ｂの内部に挿入されるので、パッドアームは、強い引張力で後方に向けて引っ張られても、挿入穴３８Ａ、３８Ｂから引き抜かれることはない。
【００３４】
図４は本発明の第３の実施形態に係る眼鏡を前方から見た平面図である。図５は、本発明の第３の実施形態に係るブリッジを後方から見たときの分解斜視図である。本実施形態において、上ブリッジ部は第１のベース部から成ると共に、下ブリッジ部は第２のベース部と、第１及び第２のベース部の間に挟まれて配置され、これらと別体に形成されたブリッジ片とから成る。以下、本実施形態について、第２の実施形態との相違点を説明する。
【００３５】
上ブリッジ部３１は、第１のベース部として、分断することによって形成されたリム１３、１４の上側の端部１３Ｕ、１４Ｕ同士を連結している。下ブリッジ部３２における第２のベース部３２Ｙは、分断することによって形成されたリム１３、１４の下側の端部１３Ｄ、１４Ｄ同士を連結する。一方、ブリッジ片３２Ｘは、リムに接続されておらず、第２のベース部３２Ｙと上ブリッジ部（第１のベース部）３１の間に挟まれて配置される。ブリッジ片３２Ｘ、第２のベース部３２Ｙ及び上ブリッジ部３１には、ブリッジ１５の左右方向における中央部を挟み込むように、それぞれ一致した位置に配置されるネジ孔４０Ａ〜４０Ｃ、４１Ａ〜４１Ｃが穿設される。
【００３６】
ブリッジ片３２Ｘが第２のベース部３２Ｙの上に載せられると共に、ブリッジ片３２Ｘの上面３２Ｕに上ブリッジ部３１の下面３１Ｄが密着した状態で、ネジ孔４０Ａ〜４０Ｃ、４１Ａ〜４１Ｃにネジ４３、４４が螺合され、ブリッジ片３２Ｘ、第２のベース部３２Ｙ及び上ブリッジ３１が連結される。
【００３７】
ブリッジ片３２Ｘには、ブリッジ片３２Ｘの背面３２Ｃ側から切り欠けられた第１及び第２の切り欠き４５Ａ、４５Ｂが形成される。第１及び第２の切り欠き４５Ａ、４５Ｂは、ブリッジ片３２Ｘの左右方向における中央部を挟み込み、かつねじ孔４０Ｂ、４１Ｂよりも外側に配置される。第１及び第２の切り欠き４５Ａ、４５Ｂは、ブリッジ片３２Ｘにおいて背面３２Ｃ側が開口し、背面３２Ｃから直線的に前方に向けて延びている。一方、第２のベース部３２Ｙ及び上ブリッジ部（第１のベース部）３１には溝が形成されていない。
【００３８】
ブリッジ片３２Ｘが、第２のベース部３２Ｙの上面３２Ｗに載せられると、第１及び第２の切り欠き４５Ａ、４５Ｂは、第２のベース部３２Ｙの上面３２Ｗを溝底部とした溝部に形成される。また、ブリッジ片３２Ｘが上ブリッジ部３１に連結すると、それら溝部は上面が上ブリッジ部３１によって塞がれ、挿入穴３８Ａ、３８Ｂとして形成されることとなる。
【００３９】
第２のベース部３２Ｙには、第１及び第２の切り欠き４５Ａ、４５Ｂの前端部に一致した位置に、第１及び第２の穴部３７Ａ、３７Ｂが形成されている。これら第１及び第２の穴部３７Ａ、３７Ｂは、ブリッジ片３２Ｘが第２のベース部３２Ｙに連結した状態では、溝部の前端部からさらに凹んだ穴として形成される。
【００４０】
第１及び第２のパッドアーム２５Ａ、２５Ｂが、ブリッジ１５に取り付けられるとき、まずブリッジ片３２Ｘが第２のベース部３２Ｙの上に載せられる。次いで、基端部２５Ｃ、２５Ｄの折り曲げられた部分が第１及び第２の穴部３７Ａ、３７Ｂに挿入されると共に、パッドアーム２５Ａ、２５Ｂの基端部側の一部が、第１及び第２の切り欠き４５Ａ、４５Ｂの内部に嵌め入れられる。そして、パッドアーム２５Ａ、２５Ｂは、下ブリッジ部３２と上ブリッジ３１部との連結により、挿入穴３８Ａ、３８Ｂの内部に配置され，下ブリッジ部３２と上ブリッジ部３１によって挟持されることとなる。
【００４１】
したがって、本実施形態でも、高い弾力性や耐久性を有していると共に、加工性が容易で、かつ交換時に余計な部品交換が不要なパッドアームを提供することができる。また、本実施形態では、第１及び第２のベース部に溝を形成しなくても良いので、ブリッジの加工性を改善することができる。なお、本実施形態では、下ブリッジ部３２の代わりに上ブリッジ部３１が、ブリッジ片とベース部を有していても良い。この場合、切り欠きが形成されるブリッジ片は、リムの端部１３Ｕ、１４Ｕ同士を連結するベース部の下側に配置される。
【００４２】
また、第２の実施形態では、上溝部３５Ａ、３５Ｂ及び下溝部３６Ａ、３６Ｂは、直線的に設けられたが、例えば、背面３１Ｂ、３２Ｂから直線的に前方に延びた後、左方向又は右方向に曲げられていても良い。この場合、勿論、パッドアームの溝部に入れられる部分は、その溝の形状と一致した形状を有し、直線的に前方に延びた後、左方向又は右方向に曲げられている。このような構成によれば、パッドアームが後方に引っ張られたとき、そのアームの曲げられた部分が、溝の側壁に当接するので、アームが溝部から引き抜かれることが防止される。この場合、第１及び第２の穴３７Ａ、３７Ｂを省略することも可能である。勿論、第３の実施形態でも同様の構成を採ることができる。
【００４３】
なお、第３の実施形態において、ブリッジ片３２Ｘ、第１及び第２のベース部３１、３２Ｙは、例えば、金属、樹脂等で形成されるが、同一の材質で形成されても良いし、異なる材質で形成されても良い。第１及び第２の実施形態における上ブリッジ部３１及び下ブリッジ部３２についても同様である。また、上記各実施形態では、フルリム眼鏡の例を示したが、本発明は、例えばリムの一部がナイロン糸で構成されるハーフリムの眼鏡等の他の眼鏡に適用されても良い。さらに、第１及び第２の実施形態では、上ブリッジ３１及び下ブリッジ３２の両方に溝が設けられる構成を示したが、一方のみに溝が形成されていても良い。
【図面の簡単な説明】
【００４４】
【図１】第１の実施形態に係る眼鏡の正面図である。
【図２】第１の実施形態に係るブリッジを後方から見たときの分解斜視図である。
【図３】第２の実施形態に係るブリッジを後方から見たときの分解斜視図である。
【図４】第３の実施形態に係る眼鏡の正面図である。
【図５】第３の実施形態に係るブリッジを後方から見たときの分解斜視図である。
【符号の説明】
【００４５】
１０  眼鏡
１３、１４  リム
１５  ブリッジ
２１、２２  第１及び第２のアーム部
２５  パッドアーム
２５Ａ、２５Ｂ  第１及び第２のパッドアーム
２７  接続部
３１  上ブリッジ部
３１Ｂ  背面
３１Ｄ  下面
３２  下ブリッジ部
３２Ｂ  背面
３２Ｕ  上面
３２Ｘ、３２Ｙ  第１及び第２のブリッジ片
３５  上溝部
３５Ａ、３５Ｂ  第１及び第２の上溝部
３６  下溝部
３６Ａ、３６Ｂ  第１及び第２の下溝部
３７Ａ、３７Ｂ  第１及び第２の穴部
３８  挿入穴
４５Ａ、４５Ｂ  第１及び第２の切り欠き
【図１】
2009014887.tif 000003
【図２】
2009014887.tif 000004
【図３】
2009014887.tif 000005
【図４】
2009014887.tif 000006
【図５】
2009014887.tif 000007